(57)【特許請求の範囲】
【請求項１】
２つの映像を交互に置換して表示する映像表示装置において、
映像を表示する映像表示画面と、
前記映像表示画面上にそれぞれ映像を表示する第１表示枠と第２表示枠との２つの表示枠を表示するとともに前記映像表示画面上で該第１表示枠を固定したまま該映像表示画面上で第２表示枠を所定の第１の方向に移動させることにより映像表示画面上の映像を置換する表示映像置換部とを備え、
前記置換は、前記映像表示画面上に前記第１表示枠のみが表示されている状態から前記第２表示枠の移動により前記第２表示枠のみが表示されている状態となった後、前記第１表示枠に表示される映像と前記第２表示枠に表示される映像とを交替させるとともに前記第１表示枠のみを前記映像表示画面上に表示し、
さらに、前記映像表示画面上に前記第１表示枠のみが表示されている状態から前記第２表示枠を前記第１の方向とは反対の方向である第２の方向に移動させることにより前記第２表示枠のみが表示されている状態となった後、前記第１表示枠に表示される映像と前記第２表示枠に表示される映像とを交替させるとともに前記第１表示枠のみを前記映像表示画面上に表示して、新たに前記映像表示画面上の映像の置換を開始可能とすることを特徴とする映像表示装置。
【請求項２】
２つの映像を交互に置換して表示する映像表示装置において、
映像を表示する映像表示画面と、
前記映像表示画面上にそれぞれ映像を表示する第１表示枠と第２表示枠との２つの表示枠を表示するとともに前記映像表示画面上で該第１表示枠を固定したまま該映像表示画面上で第２表示枠を所定の第１の方向に移動させることにより映像表示画面上の映像を置換する表示映像置換部とを備え、
前記置換は、前記映像表示画面上に前記第２表示枠のみが表示されている状態から前記第２表示枠の移動により前記第１表示枠のみが表示されている状態となった後、前記第１表示枠に表示される映像と前記第２表示枠に表示される映像とを交替させるとともに前記第２表示枠のみを前記映像表示画面上に表示し、
さらに、前記映像表示画面上に前記第２表示枠のみが表示されている状態から前記第２表示枠を前記第１の方向とは反対の方向である第２の方向に移動させることにより前記第１表示枠のみが表示されている状態となった後、前記第１表示枠に表示される映像と前記第２表示枠に表示される映像とを交替させるとともに前記第２表示枠のみを前記映像表示画面上に表示して、新たに前記映像表示画面上の映像の置換を開始可能とすることを特徴とする映像表示装置。
【発明の詳細な説明】
【０００１】
【発明の属する技術分野】
本発明は、２つの映像を交互に置換して表示する映像表示装置に関する。
【０００２】
【従来の技術】
ダンスフロア等のＤＪシーンにおいては、上記のような映像表示装置を用いて、ダンス音楽のテンポや楽曲のシーンに合わせたタイミングで、画面上に表示される映像を、映像置換上の効果を付与しながら置換する。映像置換上の効果として例えば、画面に表示された映像の上に別の映像が画面の端から入ってきて、画面に表示された映像の上にその別の映像が徐々に見えてくるスライドインといった効果がある。
【０００３】
【発明が解決しようとする課題】
このようなスライドインといった効果を付与しながら置換する映像表示装置では、スライドインの効果を付与した置換が終了した後に続けて映像置換上の効果を付与する置換を行うと、スライドインで入ってきた映像が画面の端へ出ていき、その出ていく映像の下から元の映像が徐々に見えてくる。このため、画面上では、同じ映像が画面内を進退しているように見え、映像表示が単調になりやすく、楽曲に合わせたリズミカルな映像置換とはほど遠いものになってしまう。
【０００４】
本発明は、上記事情に鑑み、変化に富んだ映像表示を行うことができる映像表示装置を提供することを目的とする。
【０００５】
【課題を解決するための手段】
上記目的を達成する本発明の映像表示装置は、２つの映像を交互に置換して表示する映像表示装置において、
映像を表示する映像表示画面と、
上記映像表示画面上にそれぞれ映像を表示する第１表示枠と第２表示枠との２つの表示枠を表示するとともに上記映像表示画面上でその第１表示枠を固定したままその映像表示画面上で第２表示枠を移動させることにより映像表示画面上の映像を置換する表示映像置換部とを備え、
上記表示映像置換部は、映像置換の終了をもって、第１表示枠に表示される映像と第２表示枠に表示される映像とを交替させ、新たに映像表示画面上の映像の置換を開始するものであることを特徴とする。
【０００６】
本発明の映像表示装置は、上記のような表示映像置換部によって、映像置換の度に上記映像表示画面上を移動する映像が交替させられるため、変化に富んだ映像表示を行うことができる。
【０００７】
また、本発明の映像表示装置において、上記映像表示画面上に表示される映像の置換を指示する置換指示操作子を備え、
上記表示映像置換部は、上記置換指示操作子が操作を受けるごとに上記第１表示枠に表示される映像と上記第２表示枠に表示される映像とを交替させながら上記映像表示画面上の映像を置換するものであってもよい。
【０００８】
このような置換指示操作子を操作することで、上記第１表示枠に表示される映像と上記第２表示枠に表示される映像とが自動的に交替される。
【０００９】
また、本発明の映像表示装置において、上記映像表示画面上に表示される映像の、置換開始から置換終了までの時間を設定する置換時間設定手段を備え、
上記表示映像置換部は、上記映像表示画面上に表示される映像の置換にあたり、上記置換時間設定手段により設定された時間をかけて上記映像表示画面上に表示される映像を置換するものであってもよい。
【００１０】
上記置換時間設定手段によって置換開始から置換終了までの時間を異なる時間に設定することで、異なった印象の映像置換を行うことができる。
【００１１】
さらに、本発明の映像表示装置において、操作量に応じた制御信号を出力する制御操作子を備え、
上記表示映像置換部は、上記制御操作子の操作を受けて、上記第２表示枠を制御操作子の操作量に応じた量だけ移動させることにより上記映像表示画面上に表示される映像を置換するものである態様であってもよい。
【００１２】
このような態様によれば、上記制御操作子を操作する者が、上記映像表示画面上における上記第２表示枠の移動量を自由に決定することができるため、その制御操作子を操作する者は、上記映像表示画面上で上記第２表示枠を自由に移動させながら、映像置換を自分の好みのタイミングで行わせることができる。
【００１３】
【発明の実施の形態】
以下、本発明の実施形態について説明する。
【００１４】
図１は、本発明の映像表示装置の一実施形態のハードウェア構成図である。
【００１５】
本実施形態の映像表示装置１は、２つの映像を交互に置換して表示する装置であって、外観構成上、本体部１０と、その本体部からの指示に応じて表示画面上に映像を表示する映像表示部２０とを備えている。
【００１６】
この本体部１０は、各種のプログラムを実行するＣＰＵ１１０、ＣＰＵ１１０で実行されるプログラムで参照されるデータの格納領域やそのプログラムの作業領域として使用されるＲＡＭ１２０、および各種のプログラムやデータが格納されたＲＯＭ１３０を備えている。
【００１７】
また、本体部１０は、映像入力第１端子１４１、映像入力第２端子１４２、フレームバッファＲＡＭ１５０、ＦＰＧＡ（Ｆｉｅｌｄ  Ｐｒｏｇｒａｍｍａｂｌｅ  Ｇａｔｅ  Ａｒｒａｙ）１６０、ビデオエンコーダ１７０、および映像出力端子１８０を備えている。映像入力第１端子１４１および映像入力第２端子１４２それぞれには、映像を表す映像信号が入力される。フレームバッファＲＡＭ１５０は、映像入力第１端子１４１および映像入力第２端子１４２それぞれに入力された映像信号を表すデータを一旦記憶するものである。ＦＰＧＡ１６０は、フレームバッファＲＡＭ１５０から上記データを読み出し、後述する映像置換上の効果を付与しながら、映像入力第１端子１４１に入力された映像信号に基づく映像（以下、Ａ映像と称する）と映像入力第２端子１４２に入力された映像信号に基づく映像（以下、Ｂ映像と称する）とを置換する映像信号を生成するものである。ビデオエンコーダ１７０は、ＦＰＧＡ１６０によって生成された映像信号を、映像表示部２０に適した映像信号に変換するものである。映像出力端子１８０は、ビデオエンコーダ１７０で変換された映像信号を映像表示部２０に向けて出力するものである。
【００１８】
さらに、本体部１０は、各種の操作子の集まりである操作子群１９０を備えている。
【００１９】
なお、この図１に示す本体部１０を構成するうちの、ＣＰＵ１１０、ＲＡＭ１２０、ＲＯＭ１３０、ＦＰＧＡ１６０、および操作子群１９０は、バス２００により互いに接続されている。
【００２０】
図２は、本実施形態の映像表示装置の本体部の正面図を示す図である。
【００２１】
この図２に示すように、本体部１０の上面には、映像入力第１端子１４１、映像入力第２端子１４２、および映像出力端子１８０が配備されており、映像出力端子１８０には、図１の映像表示部２０に一端を接続された不図示のケーブルの他端が接続される。
【００２２】
また、図２に示すように、本体部１０の正面パネル１０ａには、図１に示す操作子群１９０の一部が配備されている。正面パネル１０ａには、制御操作子１９１と、切換スタート操作子１９２と、１組の切換順指定操作子１９３と、６つのパターン選択操作子１９４が配備されている。
【００２３】
制御操作子１９１は、所定の操作領域１９１ａ内で左右に移動操作されるスライダー式の操作子であって、操作量に応じた制御信号を図１に示すＦＰＧＡ１６０に出力する。
【００２４】
ここで、この映像表示装置１は、動作モードと設定モードを有する。動作モードの中には、自動操作モードと手動操作モードとの２つの映像置換モードが用意されている。自動操作モードは、切換スタート操作子１９２が押下されることで、後述する映像置換上の効果を自動的に付与しながら、Ａ映像とＢ映像とを置換するモードである。一方、手動操作モードは、映像置換上の効果を制御操作子１９１の操作の操作量に応じた量だけ付与しつつ、Ａ映像とＢ映像とを置換するモードである。設定モードは、映像置換上の条件を設定するモードである。
【００２５】
１組の切換順指定操作子１９３は、「Ａ」と記された操作子と「Ｂ」と記された操作子との組からなるものである。この「Ａ」と記された操作子には、Ａ映像が割り当てられており、「Ｂ」と記された操作子には、Ｂ映像が割り当てられている。このような１組の切換順指定操作子１９３は、映像置換上の一つの条件として、置換開始時にまず、Ａ映像をＢ映像に置換するのか、あるいはＢ映像をＡ映像に置換するのかを指定する操作子であって、「Ａ」と記された操作子が押下されると、置換開始時にＢ映像をＡ映像に置換することが指定され、「Ｂ」と記された操作子が押下されると、反対に、置換開始時にＡ映像をＢ映像に置換することが指定される。
【００２６】
６つのパターン選択操作子１９４それぞれは、どのような映像置換上の効果を付与しながらＡ映像とＢ映像とを置換するのかを指定する操作子であって、１から６までの数字が記されている。本実施形態の映像表示装置では、いずれの映像置換上の効果であっても、映像表示部２０の表示画面上には、その表示画面上に固定された固定表示枠（本発明にいう第１表示枠）と、その固定表示枠上を移動する移動表示枠（本発明にいう第２表示枠）とが表示される。「１」が記されたパターン選択操作子１９４もしくは「２」が記されたパターン選択操作子１９４が押下されると、ともに真横からのスライドインといった映像置換上の効果を付与しながらＡ映像とＢ映像とを置換することが指定される。ここで、図３を用いて、この映像表示装置１の手動操作モードにおける、真横からのスライドインといった映像置換上の効果を説明する。
【００２７】
図３は、本実施形態の映像表示装置の手動操作モードにおける、真横からのスライドインといった映像置換上の効果を説明するための図である。
【００２８】
図３には、図番（ａ）から図番（ｈ）までの合計８つの図が記されているが、各図はいずれも、図２に示す制御操作子１９１と、その制御操作子１９１の状態に応じて映像表示部の表示画面２０ａ上に表示された映像とを示す図であって、表示画面２０ａ上には、固定表示枠２０１と、移動表示枠２０２とが示されている。また、各図における制御操作子１９１の上に示された矢印Ｐは、その制御操作子１９１の操作方向を示すものである。なお、この矢印Ｐは後述の説明で用いる図４から図７においてもこれと同様のことを示すものとする。また、制御操作子１９１の操作領域の、左端手前の所定位置には左側所定位置Ｐ１が設けられているとともに右端手前の所定位置には右側所定位置Ｐ２が設けられており、この図３の各図における制御操作子１９１の操作領域には、これらの左側所定位置Ｐ１および右側所定位置Ｐ２が記されている。さらに、図３の（ａ）から（ｈ）までの各図の表示画面２０ａに表示された白地の映像は、同じく表示された網かけの映像の上に表示されているように見えることを表している。このような白地の映像と網かけの映像の関係は、後述の説明で用いる図４から図７においても同様とする。
【００２９】
この図３には、制御操作子１９１の操作状態が図番のアルファベット順に変化していく様子が示されており、Ｂ映像がＡ映像に最初置換され、続いて、置換されたＡ映像がまたもとのＢ映像に置換され、さらにＢ映像がＡ映像に再び置換され始めるまでの様子が示されている。Ｂ映像がＡ映像に置換される時には、固定表示枠２０１にＢ映像が表示され、移動表示枠２０２にＡ映像が表示される。反対に、Ａ映像がＢ映像に置換される時には、固定表示枠２０１にＡ映像が表示され、移動表示枠２０２にＢ映像が表示される。
【００３０】
図３の上段左端の（ａ）には、図２に示す１組の切換順指定操作子１９３のうちの「Ａ」と記された切換順指定操作子が押下された後に制御操作子１９１が右方向に操作された直後の表示画面２０ａが示されている。図３に示す例では、操作される直前の制御操作子１９１が、制御操作子１９１の操作領域の中央と左側の所定位置Ｐ１との間に位置しており、（ａ）の表示画面２０ａには、Ｂ映像の上にＡ映像の一部が表示されているように見える。これは、操作される直前の制御操作子１９１の位置に基づく表示であり、操作される直前の制御操作子１９１の位置が左端であると、制御操作子１９１の操作直後には、表示画面２０ａの全面にＢ映像が表示される。図３の上段中央の２つの（ｂ）と（ｃ）の各図には、制御操作子１９１が右方向に操作されているときの表示画面２０ａが示されている。制御操作子１９１からは操作量に応じた制御信号がＦＰＧＡ１６０に出力されており、これを受けたＦＰＧＡ１６０では、移動表示枠２０２を制御操作子１９１の操作量に応じた量だけ移動させることにより表示画面２０ａ上に表示される映像を置換する。（ａ）から（ｃ）にかけての表示画面２０ａには、Ｂ映像の上にＡ映像が画面の左横から入ってきて、Ｂ映像の上にＡ映像が徐々に見えてくる様子が示されており、制御操作子１９１は、図示省略したが（ｃ）に示す位置から右方向にさらに操作されて操作領域の右端まで移動させられる。制御操作子１９１が右端まで移動されると、表示画面２０ａの全面にはＡ映像が表示され、Ｂ映像との置換が完了する。図３の上段右端の（ｄ）には、操作領域の右端まで操作された制御操作子１９１の操作方向が反転され、今度は左方向に操作され始めたときの表示画面２０ａが示されており、図３の下段に示す（ｅ）から（ｇ）までは、制御操作子１９１が左方向にさらに操作されているときの表示画面２０ａが示されている。（ｄ）から（ｇ）にかけての表示画面２０ａには、置換されたＡ映像の上に置換開始前のＢ映像が画面の右横から入ってきて、Ａ映像の上にＢ映像が徐々に見えてくる様子が示されており、制御操作子１９１は、図示省略したが（ｇ）に示す位置から左方向にさらに操作されて左端まで移動させられる。操作制御操作子１９１が左端まで操作されると、表示画面２０ａの全面にはＢ映像が表示され、Ａ映像との置換が完了する。さらに、図３の下段右端の（ｈ）には、左端まで操作された制御操作子１９１の操作方向が再び反転され、再び右方向に操作され始めたときの表示画面２０ａが示されている。（ｈ）の表示画面２０ａではまだよくわからないが、この表示画面２０ａには、Ｂ映像の上にＡ映像が画面の左横から入ってくるように見える様子が示されている。
【００３１】
「１」が記されたパターン選択操作子と「２」が記されたパターン選択操作子はともに、ＦＰＧＡ１６０に以上のような映像置換上の効果を付与しながらＡ映像とＢ映像とを置換することを設定する操作子であるが、映像の置換開始から置換終了までの時間は、手動操作モードにおいては、制御操作子１９１の操作速度に応じた時間となる。一方、自動操作モードにおいては、置換開始から置換終了までの時間は、「１」が記されたパターン選択操作子が押下されている時の方が、「２」が記されたパターン選択操作子が押下されている時よりも短い。すなわち、自動操作モードにおいては、「１」が記されたパターン選択操作子が押下されているときの方が、「２」が記されたパターン選択操作子が押下されているときよりも、移動表示枠２０２の移動速度が速く、映像置換上の同じ効果が付与された映像であっても、視聴者が受ける印象は異なったものとなる。したがって、自動操作モードにおいては、「１」が記されたパターン選択操作子と「２」が記されたパターン選択操作子との組が、置換開始から置換終了までの時間を設定する手段になる。また、手動操作モードにおいては、制御操作子１９１の操作に応じて、何回でも映像置換が行われるが、自動操作モードにおいては、連続して２回の映像置換が行われると自動的に終了する。
【００３２】
「３」が記されたパターン選択操作子が押下されると、上方もしくは下方からのスライドインといった映像置換上の効果を付与しながらＡ映像とＢ映像とを置換することが指定される。また、「４」が記されたパターン選択操作子が押下されると、斜め方向からのスライドインといった映像置換上の効果を付与しながらＡ映像とＢ映像とを置換することが指定される。ここで、図４と図５を用いて、手動操作モードにおけるこれらの映像置換上の効果をそれぞれ説明する。
【００３３】
図４は、本実施形態の映像表示装置の手動操作モードにおける、上方からのスライドインといった映像置換上の効果を説明するための図であり、図５は、本実施形態の映像表示装置の手動操作モードにおける、斜め左下からのスライドインといった映像置換上の効果を説明するための図である。
【００３４】
これらの図４および図５には、図２に示す１組の切換順指定操作子１９３のうちの「Ｂ」と記された切換順指定操作子が押下された後に、図２に示す制御操作子１９１が右方向に操作されているときの表示画面２０ａが示されている。これらの表示画面２０ａにも、図３の各図と同じように固定表示枠２０１と移動表示枠２０２が示されている。図４および図５ではともに、固定表示枠２０１にＡ映像が表示され、移動表示枠２０２にＢ映像が表示されている。
【００３５】
図４に示された表示画面２０ａには、Ａ映像の上にＢ映像が画面の上方から入ってくるように見える映像が示されている。また、図５に示された表示画面２０ａには、Ａ映像の上にＢ映像が画面の斜め左下から入ってくるように見える映像が示されている。制御操作子１９１が図４および図５中の矢印Ｐ方向に操作されると、図４では、Ａ映像がさらに下方に向かって入ってくるように見え（図４中の矢印Ｍ参照）、図５では、Ａ映像がさらに斜め右上に向かって入ってくるように見え（図５中の矢印Ｍ参照）、制御操作子１９１が右端まで移動させられると、図４および図５それぞれに示された表示画面２０ａの全面はともにＢ映像となる。すなわち、いずれのスライドインであっても、表示画面２０ａに表示される映像は、Ａ映像からＢ映像へ置換されたことになる。また、図示省略したが、右端まで移動させられた制御操作子１９１が、今度は左方向（図４および図５中の矢印Ｐと反対の方向）に操作されると、固定表示枠２０１にＢ映像が表示され、移動表示枠２０２にＡ映像が表示され、置換されたＢ映像の上に置換開始前のＡ映像が、図４の場合には画面の下方から、図５の場合には画面の斜め右上から入ってきて、いずれの場合にも、Ｂ映像の上にＡ映像が徐々に表れてくるように見え、制御操作子１９１が左端まで移動させられると、表示画面２０ａの全面はＡ映像となる。すなわち、いずれのスライドインであっても、表示画面２０ａに表示される映像は、今度は、Ｂ映像からＡ映像へ置換されたことになる。
【００３６】
「５」と記されたパターン選択操作子が押下されると、図３から図５を用いて説明した映像置換上の効果とは少し異なる映像置換上の効果を付与しながらＡ映像とＢ映像とを置換することが指定される。また、「６」が記されたパターン選択操作子が押下されると、上述した各映像置換上の効果とは大きく異なる、スイングといった３次元的な映像置換上の効果を付与しながらＡ映像とＢ映像とを置換することが指定される。ここで、図６と図７を用いて、手動操作モードにおけるこれらの映像置換上の効果をそれぞれ説明する。
【００３７】
図６は、「５」が記されたパターン選択操作子が押下されたときの、本実施形態の映像表示装置の手動操作モードにおける映像置換上の効果を説明するための図であり、図７は、本実施形態の映像表示装置の手動操作モードにおける、スイングといった３次元的な映像置換上の効果を説明するための図である。
【００３８】
これらの図６および図７にはともに、図２に示す１組の切換順指定操作子１９３のうちの「Ｂ」と記された切換順指定操作子が押下された後に、図２に示す制御操作子１９１が右方向に操作されているときの表示画面２０ａが示されている。これらの表示画面２０ａにも図４や図５と同じように、固定表示枠２０１と移動表示枠２０２が示されており、固定表示枠２０１にはＡ映像が表示され、移動表示枠２０２にはＢ映像が表示されているが、図６および図７それぞれに示された移動表示枠２０２は、移動にあたって中央で左右に分割される。
【００３９】
図６に示された表示画面２０ａには、Ｂ映像の、左半分が画面の左横に向かって出ていくとともに右半分が画面の右横に向かって出ていき、Ｂ映像の下からＡ映像が徐々に表れてくるように見える映像が示されている。また、図７に示された表示画面２０ａには、Ｂ映像の、左半分が画面の左端を回転軸として画面の奥に向かって回転するとともに右半分が画面の右端を回転軸として画面の奥に向かって回転し、Ｂ映像の下からＡ映像が徐々に表れてくるように見える映像が示されている。制御操作子１９１が図６および図７中の矢印Ｐ方向に操作されると、図６では、Ｂ映像の左半分は左方に向かってさらに出ていくとともに、右半分も右方に向かってさらに出ていき（図６の矢印Ｍ参照）、図７では、Ｂ映像の、左半分はさらに回転するとともに右半分もさらに回転し（図６の矢印Ｍ参照）、両者ともＡ映像がさらに表れてくる。そして、制御操作子１９１が右端まで移動させられると、図６および図７それぞれに示された表示画面２０ａの全面はともにＡ映像となる。すなわち、いずれの場合にも、表示画面２０ａに表示される映像は、Ｂ映像からＡ映像へ置換されたことになる。また、図示省略したが、右端まで移動させられた制御操作子１９１が、今度は左方向（図６および図７中の矢印Ｐと反対の方向）に操作されると、固定表示枠２０１にＢ映像が表示され、移動表示枠２０２にＡ映像が表示され、図６の場合には置換されたＡ映像の、左半分が画面の左横に向かって出ていくとともに右半分が画面の右横に向かって出ていき、図７の場合には、置換されたＡ映像の、左半分が画面の左端を回転軸として画面の奥に向かって回転するとともに右半分が画面の右端を回転軸として画面の奥に向かって回転し、双方の場合ともＡ映像の下から置換開始前のＢ映像が徐々に表れてくるように見え、制御操作子１９１が左端まで移動させられると、表示画面２０ａの全面はＢ映像となる。すなわち、いずれの場合にも、表示画面２０ａに表示される映像は、今度は、Ａ映像からＢ映像へ置換されたことになる。
【００４０】
以上図４から図７を用いてそれぞれ説明した映像置換上の効果は、手動操作モードにおけるものであるが、自動操作モードにおいても同様である。ただし、図３を用いて説明した真横からのスライドインと同じく、手動操作モードにおいては、制御操作子１９１の操作に応じて、何回でも映像置換が行われるが、自動操作モードにおいては、連続して２回の映像置換が行われると自動的に終了する。
【００４１】
続いて、図８を用いて、この映像表示装置のＣＰＵで実行されるメインルーチンについて説明する。
【００４２】
図８は、本実施形態の映像表示装置のＣＰＵで実行されるメインルーチンのフローチャートである。
【００４３】
この図８に示すメインルーチンは、本実施形態の映像表示装置１の主電源（不図示）が投入されることによりスタートする。
【００４４】
主電源が投入されると、まずこの映像表示装置１の初期設定を行う（ステップＳ１）。次に、この映像表示装置１が動作モードに移行したか否かを判定する（ステップＳ２）。この判定は、制御操作子１９１と切換スタート操作子１９２のうちのいずれか一方の操作子が操作されたか否かで判定する。いずれの操作子１９１，１９２も無操作の場合には、動作モードには移行していないと判定して、今度は、設定モードに移行したか否かを判定する（ステップＳ３）。このステップＳ３における判定は、１組の切換順指定操作子１９３および６つのパターン選択操作子１９４のうちのいずれか一つの操作子でも操作されたか否かで判定する。いずれか一つの操作子でも操作された場合には、設定モードに移行したと判定して後述する設定モードの処理ルーチンを実行し（ステップＳ４）、その後終了か否かを判定する（ステップＳ５）。このステップＳ５における判定では、主電源が切られると終了し、主電源が投入されたままであるとステップＳ２に戻る。また、ステップＳ３における判定で設定モードに移行していないと判定した場合、すなわち、１組の切換順指定操作子１９３および６つのパターン選択操作子１９４のうちのいずれの操作子も無操作である場合にもステップＳ２に戻る。一方、ステップＳ２における判定で動作モードに移行したと判定した場合、すなわち、制御操作子１９１と切換スタート操作子１９２のうちのいずれか一方の操作子が操作された場合には、今度は、動作モードのうちの自動操作モードであるか否かの判定を行う（ステップＳ６）。このステップＳ６における判定は、切換スタート操作子１９２が操作されたか否かで判定する。切換スタート操作子１９２が操作された場合には、自動操作モードに移行したと判定して図１に示すＦＰＧＡ１６０に後述する自動操作モードの処理ルーチンを実行するように指示し（ステップＳ７）、上述したステップＳ５に進む。反対に、切換スタート操作子１９２が無操作の場合には、手動操作モードに移行したと判定して図１に示すＦＰＧＡ１６０に後述する手動操作モードの処理ルーチンを実行するように指示し（ステップＳ８）、ステップＳ５に進む。
【００４５】
続いて、図９を用いて、このメインルーチンのステップ４でＣＰＵ１１０によって実行される設定モードの処理ルーチンについて説明する。
【００４６】
図９は、本実施形態の映像表示装置のＣＰＵで実行される設定モードの処理ルーチンのフローチャートである。
【００４７】
この設定モードの処理ルーチンでは、図１に示すＣＰＵ１１０は、切換順指定操作子１９３やパターン選択操作子１９４の操作に応じて、ＦＰＧＡ１６０に映像置換上の条件を設定する（ステップＳ１１）。すなわち、１組の切換順指定操作子１９３のうちの「Ａ」と記された操作子が押下されると、ＣＰＵ１１０はＦＰＧＡ１６０に、置換開始時にＢ映像をＡ映像に置換すること（図３（ａ）参照）を設定し、「Ｂ」と記された操作子が押下されると、ＣＰＵ１１０はＦＰＧＡ１６０に、置換開始時にＡ映像をＢ映像に置換すること（図４〜図７参照）を設定する。また、６つのパターン選択操作子１９４のうちのいずれか１つの操作子が押下されると、ＣＰＵ１１０はＦＰＧＡ１６０に、図３から図７を用いて説明したいずれかの映像置換上の効果を付与しながらＡ映像とＢ映像とを置換する映像を表す映像信号を生成することを設定する。このようなステップＳ１１が実行されると、この設定モードの処理ルーチンは終了する。
【００４８】
次に、図１０を用いて、図８に示すメインルーチンのステップ７において実行を指示される自動操作モードの処理ルーチンについて説明する。
【００４９】
図１０は、本実施形態の映像表示装置のＦＰＧＡで実行される自動操作モードの処理ルーチンのフローチャートである。
【００５０】
ＣＰＵ１１０の指示を受けてＦＰＧＡ１６０がこの自動操作モードの処理ルーチンを実行すると、図１に示す映像表示部２０の表示画面には続けて２回の映像置換が自動的に表示される。まず、ＦＰＧＡ１６０は、１回目の置換が行われる映像を表す映像信号を生成する（ステップＳ２１）。すなわち、パターン選択操作子１９４の操作に応じた映像置換上の効果を付与しながら、切換順指定操作子１９３の操作に応じていずれか一方の映像をいずれか他方の映像に置換する映像を表す映像信号を生成する。この映像信号の生成では、固定表示枠にいずれか一方の映像を表示させ、移動表示枠にいずれか他方の映像を表示させる。次に、固定表示枠に表示された映像と移動表示枠に表示された映像とを交替させる（ステップＳ２２）。続いて、２回目の置換が行われる映像を表す映像信号を生成する（ステップＳ２３）。すなわち、パターン選択操作子１９４の操作に応じた映像置換上の効果を付与しながら、ステップＳ２１が実行されたことによって表示されている置換後の映像を置換前の映像に置換する映像の映像信号を生成する。先のステップＳ２２で固定表示枠の映像と移動表示枠の映像とを交替させたため、ステップＳ２３においては、１回目の置換において移動させた映像は固定し、１回目の置換において固定した映像は移動させることで表示画面上の映像を置換する。したがって、１回目の映像置換と２回目の映像置換とでは、表示画面上を移動する映像が異なり、変化に富んだ映像表示を行うことができる。ステップＳ２３が実行されると、この自動操作モードの処理ルーチンは終了する。なお、このように２回の映像置換を行うと自動操作モードの処理ルーチンを終了するのではなく、３回以上の映像置換を行えるようにしてもよい。
【００５１】
次に、図１１を用いて、図８に示すメインルーチンのステップ８において実行を指示される手動操作モードの処理ルーチンについて説明する。
【００５２】
図１１は、本実施形態の映像表示装置のＦＰＧＡで実行される手動操作モードの処理ルーチンのフローチャートである。
【００５３】
ＣＰＵ１１０の指示を受けたＦＰＧＡ１６０が実行する、この手動操作モードの処理ルーチンでは、図３の各図に示す、制御操作子１９１の操作領域の左端手前に設けられた左側所定位置Ｐ１と、右端手前に設けられた右側所定位置Ｐ２が用いられる。また、制御操作子１９１の位置と、これらの左側所定位置Ｐ１および右側所定位置Ｐ２との関係を示すものとして、Ｐフラグが用いられる。以下の説明では、図１１を用いるとともに、必要に応じて図３を参照する。
【００５４】
まず、制御操作子１９１が右方向に操作された結果、制御操作子１９１の位置が右側所定位置Ｐ２を越えたか否かを判定する（ステップＳ３１）。図３（ｂ）に示すように右側所定位置Ｐ２を未だ越えていなかったり、あるいは図３（ｆ）に示すように右側所定位置Ｐ２を左方向に操作された結果越えている場合には、今度は、制御操作子１９１が左方向に操作された結果、制御操作子１９１の位置が左側所定位置Ｐ１を越えたか否かを判定する（ステップＳ３２）。図３（ｅ）に示すように左側所定位置Ｐ１を未だ越えていなかったり、あるいは左側所定位置Ｐ１を右方向に操作された結果越えている場合には、さらに、制御操作子１９１の操作方向が反転したか否かを判定する（ステップＳ３３）。操作方向が未反転ならば図９に示す設定モードの処理ルーチンにおいて設定された映像置換上の効果を付与した映像を表す映像信号を生成する（ステップＳ３４）。このステップＳ３４では、表示画面２０ａ上で、制御操作子１９１の操作量に応じた量だけ移動表示枠２０２が移動する映像を表す映像信号を生成する。したがって、この映像表示装置１における手動操作モードでは、制御操作子１９１を操作する者が、表示画面２０ａ上における第２表示枠２０２の移動量を自由に決定することができる。そのため、制御操作子１９１を操作する者は、表示画面２０ａ上で第２表示枠２０２を自由に移動させながら、映像置換を自分の好みのタイミングで行わせることができる。
【００５５】
一方、ステップＳ３１における判定で、制御操作子１９１の位置が右側所定位置Ｐ２を越えた（図３（ｃ）参照）と判定されると、Ｐフラグをセットする（ステップＳ３５）。また、ステップＳ３２における判定で、制御操作子１９１の位置が左側所定位置Ｐ１を越えた（図３（ｇ）参照）と判定されたときにも、ステップＳ３５に進みＰフラグをセットする。さらに、ステップＳ３３における判定で、制御操作子１９１の操作方向が反転された（図３の（ｃ）から（ｄ），（ｇ）から（ｈ）参照）と判定されると、このＰフラグがセットされているか否かが判定される（ステップＳ３６）。セットされていなければ、ステップＳ３４に直接進む。反対にＰフラグがセットされていれば、固定表示枠２０１に表示された映像と移動表示枠２０２に表示された映像とを交替させ（ステップＳ３７）、その後、Ｐフラグをリセットして（ステップＳ３８）、ステップＳ３４に進む。したがって、この映像表示装置における手動操作モードでは、映像の置換の度に固定表示枠２０１の映像と移動表示枠２０２の映像とを交替させるため、変化に富んだ映像表示を行うことができる。
【００５６】
以上説明した、本実施形態の映像表示装置では、図３から図７を用いて説明した５種類の映像置換上の効果を付与することができるが、本発明は、この他の様々な映像置換上の効果を付与することができる映像表示装置にも適用することができる。
【００５７】
【発明の効果】
以上、説明したように、本発明の映像表示装置によれば、変化に富んだ映像表示を行うことができる。
【図面の簡単な説明】
【図１】本発明の映像表示装置の一実施形態のハードウェア構成図である。
【図２】本実施形態の映像表示装置の本体部の正面図を示す図である。
【図３】本実施形態の映像表示装置の手動操作モードにおける、真横からのスライドインといった映像置換上の効果を説明するための図である。
【図４】本実施形態の映像表示装置の手動操作モードにおける、上方からのスライドインといった映像置換上の効果を説明するための図である。
【図５】本実施形態の映像表示装置の手動操作モードにおける、斜め左下からのスライドインといった映像置換上の効果を説明するための図である。
【図６】「５」が記されたパターン選択操作子が押下されたときの、本実施形態の映像表示装置の手動操作モードにおける映像置換上の効果を説明するための図である。
【図７】本実施形態の映像表示装置の手動操作モードにおける、スイングといった３次元的な映像置換上の効果を説明するための図である。
【図８】本実施形態の映像表示装置のＣＰＵで実行されるメインルーチンのフローチャートである。
【図９】本実施形態の映像表示装置のＣＰＵで実行される設定モードの処理ルーチンのフローチャートである。
【図１０】本実施形態の映像表示装置のＦＰＧＡで実行される自動操作モードの処理ルーチンのフローチャートである。
【図１１】本実施形態の映像表示装置のＦＰＧＡで実行される手動操作モードの処理ルーチンのフローチャートである。
【符号の説明】
１    映像表示装置
１０    本体部
１０ａ    正面パネル
１１０    ＣＰＵ
１２０    ＲＡＭ
１３０    ＲＯＭ
１４１    映像入力第１端子
１４２    映像入力第２端子
１５０    フレームバッファＲＡＭ
１６０    ＦＰＧＡ
１７０    ビデオエンコーダ
１８０    映像出力端子
１９０    操作子群
１９１    制御操作子
１９２    切換スタート操作子
１９３    切換順指定操作子
１９４    パターン選択操作子
２００    バス
２０    映像表示部
２０ａ    表示画面
２０１    固定表示枠
２０２    移動表示枠
【図１】
0004102048.tif 000002
【図２】
0004102048.tif 000003
【図３】
0004102048.tif 000004
【図４】
0004102048.tif 000005
【図５】
0004102048.tif 000006
【図６】
0004102048.tif 000007
【図７】
0004102048.tif 000008
【図８】
0004102048.tif 000009
【図９】
0004102048.tif 000010
【図１０】
0004102048.tif 000011
【図１１】
0004102048.tif 000012